(57)【要約】      （修正有）【課題】複数匹のペットを散歩させる際に、複数本のリードを手に持つ必要がなく、ペットの動きによって絡まりあうことのない多頭用散歩リードを提供する。【解決手段】犬の首まわりに装着されている首輪の接続環に、多頭用散歩リードの下端に設けた接続具１，８を着脱可能に接続する。多頭用散歩リードの中間部には回転カン４を具備しており、その回転カン４にペットの数に応じた多頭用補助リード７の上端の接続具９を連結することにより、複数匹のペットがどの方向に進んでも回転カン４が自在に回転し、リードが絡まりあうことなくペットを安全に散歩させることができる。また、リード下端や中間部にリングや回転カンを具備したことにより、リードを襷がけしたり、腹部に装着したり、長さを自由に変えることができる。【選択図】図３
0003145389.tif 000002
【実用新案登録請求の範囲】
【請求項１】
一種のペット用リード構造であり、リードの両端に接続具を具備し、下端にリングを具備し、中間部には複数個のリングと回転カンを具備しており、この構造により、回転カンにペットの数に応じて、両端に接続具を具備した短い補助リードを連結し、ペットの動く方向によってリードが絡まりあうことなく複数匹のペットを同時に安全に散歩させることができる多頭用散歩リードの構造。
【請求項２】
持ち手部分の接続具をリードの下端および中間部のリングや回転カンに連結することにより、飼い主がリードを襷がけしたり、腰部に装着できることを特徴とした、請求項１に記載の多頭用散歩リードの構造。
【請求項３】
持ち手部分の接続具をリードの下端および中間部のリングや回転カンに連結することにより、リードの長さを自由に変えて、ペットとの距離やペットの活動範囲を固定できることを特徴とする、請求項１に記載の多頭用散歩リード。
【請求項４】
リードの材質は、ナイロン、本革、布製品、金属素材、および弾性素材とすることができることを特徴とする、請求項１に記載の多頭用散歩リード。
【考案の詳細な説明】
【技術分野】
【０００１】  この考案は、複数匹の犬等のペット（愛玩動物）を散歩させる際に使用する多頭用散歩リードの構造に関する。
【背景技術】
【０００２】  従来のペットの散歩リードは、ペット、例えば犬の首回りに装着されている首輪に対して紐、ベルト、ロープ等から形成されるリードの一端を連結し、リードの他端を飼主が手に持って散歩させる構造が多かった。【０００３】  しかし、そのリード構造だと、複数匹の犬を散歩させる場合、一度に複数本のリードを手に持たねばならず、犬の強い力によって飼主の手を傷めるばかりでなく、犬の動きによってリード同士が絡まってしまうことがあり極めて不便であった。【０００４】  その上、飼主が散歩時にリードを片手あるいは両手で持つこととなり、糞の始末や手荷物がある場合などに不便であった。
【考案の開示】
【考案が解決しようとする課題】
【０００５】  この考案は、前記事情に着目してなされたもので、その目的とするところの１点目は、複数匹のペットを散歩させる際に、複数本のリードを手に持つ必要がなく、リードがペットの動きによって絡まりあうことのない多頭用散歩リードを提供することにある。【０００６】  ２点目は、ペットの散歩の際に、両手が塞がれることなく自由となり、雨の日の散歩や手荷物を持っての散歩でも両手を使用でき、糞の処理も容易に行うことができる多頭用散歩リードを提供することにある。
【課題を解決するための手段】
【０００７】  この考案は、リードの中間部に回転カンを具備し、その回転カンに、両端に接続具を具備した短い多頭用補助リードを連結することにより、複数匹のペットを１本のリードで散歩させることができ、ペットがどの方向に進んでもリードが絡まりあうことのない多頭用散歩リードにある。【０００８】  また、リードの持ち手側に具備した接続具を、リード下端や中間部に具備したリングおよび回転カンに連結することにより、飼主がリードを肩から腋の下に向けて襷がけしたり、腰部に装着することが可能となり、両手を塞ぐことなくペットを散歩させることができる多頭用散歩リードにある。
【考案の効果】
【０００９】  上記のように、この考案によれば、リードの中間部に回転カンを具備したことにより、複数匹のペットを散歩させる際に、ペットがどの方向に進んでも、回転カンが自在に回転し、リードが絡まりあうことなく安全に散歩をさせることができるという効果がある。【００１０】  また、リードの持ち手側に具備した接続具をリード下端や中間部に具備したリングおよび回転カンに連結することにより、飼主がリードを肩から腋の下に向けて襷がけしたり、腰部に装着することができ、ペットの散歩の際に、両手が塞がれることなく自由となり、雨の日の散歩や手荷物を持っての散歩でも両手を使用でき、糞の処理も容易に行うことができるという効果がある。
【考案を実施するための最良の形態】  以下、この考案の各実施の形態を図面に基づいて説明する。【００１１】  図１はペットの多頭用散歩リードの斜視図、図２は多頭用散歩リードの補助リードの斜視図、図３は多頭用補助リードを多頭用散歩リードに連結した図、図４は飼主が多頭用散歩リードを肩から腋の下に向けて襷がけして２匹の犬を散歩させている状態を示す図、図５は飼主がリードを短くして片手で持ち、２匹の犬を散歩させている状態を示す図である。犬１０の首回りに装着されている首輪の接続環には多頭用散歩リードの下端に設けた接続具１が着脱可能に連結されている。もう１匹の犬１１の首回りに装着されている首輪の接続環には多頭用補助リード７の下端に設けた接続具８が着脱可能に連結されている。【００１２】  多頭用散歩リードの中間部には回転カン４を具備しており、その回転カン４にペットの数に応じた多頭用補助リード７の上端の接続具９を連結することにより、複数匹のペットがどの方向に進んでも回転カン４が自在に回転し、リードが絡まりあうことなくペットを安全に散歩させることができる。【００１３】  図４には、本考案の多頭用散歩リードの構造の代表実施例を示す。多頭用散歩リードの上端に設けた接続具６を回転カン４に連結することにより、飼主１２の肩から腋の下に向けてリードを襷がけすることが可能となる。【００１４】  上記の状態で、犬１０と犬１１を屋外に連れて散歩させることができ、このときリードは飼主１２の肩から腋の下に向けて襷がけされているため、散歩をさせる飼主１２はリードを手に持つことなく、両手を自由に使うことができる。従って、雨の日の散歩で片手に傘を持っていたり、手荷物を持っての散歩でも両手が塞がれることはない。また、犬１０と犬１１が散歩中に道路等へ糞をしても、その処理に両手を使うことができ、処理を簡単に行うことができる。【００１５】  多頭用散歩リードは、襷がけだけでなく、飼い主の腰部に装着したり、図５のように手に持つこともできる。【００１６】  多頭用散歩リードは、多頭用補助リード７を使用しない場合は、従来のリードと同じように１匹用の散歩リードとして使用することができる。【００１７】  前記実施例においては、ペットとして犬を散歩する場合について説明したが、猫等の愛玩動物の散歩に適用できることは勿論であり、愛玩動物の種類、大きさによってリードの材質、サイズを変更することが可能である。【００１８】  リードの下端や中間部に具備しているリング２、３、５および回転カン４は、リードのサイズに応じてその個数や取り付け位置を変更することが可能である。【００１９】  前記実施例では、接続具６をリードの回転カン４に連結して、リードを肩から腋の下に向けて襷がけする場合について説明したが、買い物等で犬１０や犬１１を一時的に木や電柱などにつないでおく際にも使用することが可能である。【００２０】  なお、本考案の多頭用散歩リードは、リード上端の接続具６をリング２，３，５や回転カン４に連結することによって、リードの長さを自由に変え、ペットとの距離やペットの活動範囲を固定することが可能である。
【図面の簡単な説明】
【００２１】
【図１】本考案のペットの多頭用散歩リードの斜視図。
【図２】本考案のペットの多頭用散歩リードの補助リードの斜視図。
【図３】多頭用補助リードを多頭用散歩リードに連結した図。
【図４】この考案の代表実施例を示し、飼主が多頭用散歩リードを肩から腋の下に向けて襷がけし、２匹の犬を散歩させている状態を示す図。
【図５】この考案の実施例を示し、飼主が多頭用散歩リードを短くして片手で持ち、２匹の犬を散歩させている状態を示す図。
【符号の説明】
【００２２】１    多頭用散歩リード下端の接続具
２    多頭用散歩リード下端付近のリング
３    多頭用散歩リード中間部のリング
４    多頭用散歩リード中間部の回転カン
５    多頭用散歩リード中間部のリング
６    多頭用散歩リード上端の接続具
７    多頭用補助リード
８    多頭用補助リード下端の接続具
９    多頭用補助リード上端の接続具
１０  多頭用散歩リードにつないでいる犬
１１  多頭用補助リードにつないでいる犬
１２  飼主
【図１】
0003145389.tif 000003
【図２】
0003145389.tif 000004
【図３】
0003145389.tif 000005
【図４】
0003145389.tif 000006
【図５】
0003145389.tif 000007